(57)【要約】【課題】より効果的なズーム撮影を行うことが可能な情報処理装置、およびプログラムを提供する。【解決手段】ズーム後の最終的な画角を設定する設定部と、開始指示に応じて撮像部によるズームを開始し、前記設定部により設定された最終的な画角に対応する画角になった場合にズームを終了させるよう制御する撮像制御部と、前記撮像部によりズームしている間の少なくとも一部の撮像画像を所定の記憶部に記憶する記憶制御部と、を備える情報処理装置。【選択図】図１
2013238814.tif 000002
【特許請求の範囲】
【請求項１】
ズーム後の最終的な画角を設定する設定部と、
開始指示に応じて撮像部によるズームを開始し、前記設定部により設定された最終的な画角に対応する画角になった場合にズームを終了させるよう制御する撮像制御部と、
前記撮像部によりズームしている間の少なくとも一部の撮像画像を所定の記憶部に記憶する記憶制御部と、
を備える情報処理装置。
【請求項２】
前記撮像制御部は、ズーム速度を変化させるよう制御する、請求項１に記載の情報処理装置。
【請求項３】
前記設定部は、主要被写体が所定の位置に配置される構図となるよう前記最終的な画角を設定する、請求項１に記載の情報処理装置。
【請求項４】
前記情報処理装置は、
表示部に表示された撮像画像に対するタッチ操作を検出する検出部をさらに備え、
前記設定部は、前記検出部により検出された前記タッチ操作の位置に応じて主要被写体を特定し、特定した主要被写体に応じて前記構図を調整する、請求項３に記載の情報処理装置。
【請求項５】
前記情報処理装置は、
前記設定部により設定された最終的な画角を示す表示を前記撮像画像に重畳表示するよう制御する表示制御部をさらに備える、請求項１に記載の情報処理装置。
【請求項６】
前記情報処理装置は、
前記所定の記憶部に記憶される撮像範囲内外の画像を表示部に表示し、前記撮像範囲を示す表示を前記画像に重畳表示し、前記撮像部によるズームに応じて前記撮像範囲を示す表示を制御する表示制御部をさらに備える、請求項１に記載の情報処理装置。
【請求項７】
前記撮像制御部は、前記最終的な画角内の被写体をトラッキングするよう制御し、
前記表示制御部は、前記トラッキングに応じて前記最終的な画角を示す表示の位置を変化させる、請求項６に記載の情報処理装置。
【請求項８】
前記撮像制御部は、ユーザにより指示されている間、前記トラッキングを行う、請求項７に記載の情報処理装置。
【請求項９】
前記表示制御部は、前記所定の記憶部に記憶された前記ズームしている間の撮像画像を再生するよう表示制御する、請求項１に記載の情報処理装置。
【請求項１０】
ズーム後の最終的な画角を設定する処理と、
開始指示に応じて撮像部によるズームを開始し、前記設定する処理により設定された最終的な画角に対応する画角になった場合にズームを終了させるよう制御する処理と、
前記撮像部によりズームしている間の少なくとも一部の撮像画像を所定の記憶部に記憶する処理と、
をコンピュータに実行させる、プログラム。
【発明の詳細な説明】
【技術分野】
【０００１】
本開示は、情報処理装置およびプログラムに関する。
【背景技術】
【０００２】
近年、被写体画像をデジタル画像信号として記憶媒体に記憶して保存するデジタルカメラやデジタルビデオカメラが普及している。ユーザは、被写体にデジタルカメラ等を向けて、ビューファインダーに表示された画像を視認し、任意のタイミングで撮影ボタンを押下する。
【０００３】
このようなデジタルカメラに関する技術として、例えば下記特許文献１では、検出された１以上の顔領域全てと主要被写体領域を同一の撮影画角内に含めるように、ズーム倍率や撮影画角の範囲を自動的に調整する画像処理装置が提案されている。
【０００４】
また、下記特許文献２では、画枠の端部領域と画枠内で検出された被写体の位置との関係に応じて撮像動作を制御する撮像制御装置が提案されている。
【０００５】
また、下記特許文献３では、撮影者がフレーミングしている領域よりも広い撮影画角で撮影画像を取得し、上記フレーミングに関連する情報に基づいて、取得した撮影画像からトリミングした画像を表示モニタに表示する画像処理装置が提案されている。
【先行技術文献】
【特許文献】
【０００６】
【特許文献１】特開２０１１−３５６３４号公報
【特許文献２】特開２０１１−３００４０号公報
【特許文献３】特開２０１０−１９３０７１号公報
【発明の概要】
【発明が解決しようとする課題】
【０００７】
ここで、一般的にビデオカメラで動画撮影を行う場合、ユーザは、ビデオカメラを動かして主要被写体を追ったり、ズーム操作により主要被写体にズームしたり等の撮影動作を手動で行うが、理想的な構図で撮影することは困難であった。特に、ズームイン／アウト操作において、ズーム後の撮影画角が理想的な構図になるよう想定しながら撮影動作を行うことは、一般的なユーザにとっては難易度が高かった。
【０００８】
上述した特許文献１に記載の技術では、人物と他の主要被写体を含むよう自動的にズーム倍率や撮影画角の範囲を調整するので、人物のみの理想的な構図で撮影することや、ユーザの意図に応じた撮影を実現することは難しかった。
【０００９】
また、上述した特許文献２、３でも、ズーム後の理想的な構図の提示に関しては何ら言及されていない。
【００１０】
そこで、本開示では、より効果的なズーム撮影を行うことが可能な、新規かつ改良された情報処理装置およびプログラムを提案する。
【課題を解決するための手段】
【００１１】
本開示によれば、ズーム後の最終的な画角を設定する設定部と、開始指示に応じて撮像部によるズームを開始し、前記設定部により設定された最終的な画角に対応する画角になった場合にズームを終了させるよう制御する撮像制御部と、前記撮像部によりズームしている間の少なくとも一部の撮像画像を所定の記憶部に記憶する記憶制御部と、を備える情報処理装置を提案する。
【００１２】
本開示によれば、ズーム後の最終的な画角を設定する処理と、開始指示に応じて撮像部によるズームを開始し、前記設定する処理により設定された最終的な画角に対応する画角になった場合にズームを終了させるよう制御する処理と、前記撮像部によりズームしている間の少なくとも一部の撮像画像を所定の記憶部に記憶する処理と、をコンピュータに実行させるプログラムを提案する。
【発明の効果】
【００１３】
以上説明したように本開示によれば、より効果的なズーム撮影を行うことが可能となる。
【図面の簡単な説明】
【００１４】
【図１】本開示の一実施形態によるズームアシストの概要について説明するための図である。
【図２】通常のオートズームを示す説明図である。
【図３】本実施形態によるデジタルカメラの構成を示すブロック図である。
【図４】本実施形態によるＣＰＵ（主制御部）の機能構成を説明するための図である。
【図５】本実施形態による動作処理を示すフローチャートである。
【図６】本実施形態によるズームイン後の最終的な撮影画角の表示を説明するための図である。
【図７】本実施形態によるズーム速度の制御を説明するための図である。
【図８】本実施形態による表示画像と記憶画像を対比して説明するための図である。
【図９】本実施形態によるズームイン後のフレーム調整について説明するための図である。
【図１０】本実施形態によるズームイン後のトラッキングについて説明するための図である。
【図１１】本実施形態によるズームアウト時のズームアシストを説明するための図である。
【図１２】本実施形態によるズームアウト後の最終的な撮影画角の表示を説明するための図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、説明は以下の順序で行うものとする。
１．本開示の一実施形態によるズームアシストの概要
２．デジタルカメラの構成
３．動作処理
４．ズームアシストの具体例
４−１．イージング動作
４−２．撮影画角外の画像の表示
４−３．ズームアウト
５．まとめ
【００１７】
＜１．本開示の一実施形態によるズームアシストの概要＞
まず、本開示の一実施形態によるズームアシストの概要について図１を参照して説明する。図１は、本開示の一実施形態によるズームアシストの概要を説明するための図である。図１に示すように、本実施形態によるデジタルカメラ１には、シャッターボタン２、Ｗ／Ｔ（ズーム）レバー３、ＭＯＶＩＥ（動画）ボタン５、ズームアシストスイッチ６、ダイヤルボタン８、再生ボタン９および表示部１６が設けられる。なお、図１に示す表示部１６が設けられた面と対向する面には、フラッシュや撮像レンズが設けられている（不図示）。
【００１８】
また、図１に示すデジタルカメラ１の動作モードは、例えば静止画撮影モード、動画撮影モード、または再生モードに切り替えることが可能である。例えば静止画撮影モードの場合、デジタルカメラ１は、シャッターボタン２が押下されたタイミングに応じて、撮像レンズにより撮像した静止画像データ（写真データ）をメモリに記憶する。
【００１９】
また、動画撮影モードの場合、デジタルカメラ１は、動画ボタン５が押下されたタイミングに応じて動画撮影を開始し、撮像レンズにより撮像した動画データ（ビデオデータ）をメモリに記憶する。
【００２０】
また、再生ボタン９が押下されると、デジタルカメラ１の動作モードは再生モードに切り替わり、デジタルカメラ１は、メモリに記憶された静止画および動画を含む各画像を表示部１６に表示する。
【００２１】
ここで、静止画撮影モードおよび動画撮影モードの場合、デジタルカメラ１の表示部１６には、撮像レンズにより撮像した撮像画像が逐次表示される。このように撮像レンズにより撮像した画像がリアルタイムに表示部１６に表示される処理をスルー撮像と称し、また、スルー撮像により取得される画像をスルー画像と称す。
【００２２】
ユーザは、表示部１６に表示されるスルー画像を確認した上で、シャッターボタン２の押下により写真撮影を行ったり、動画ボタン５の押下によりビデオ撮影を行ったりする。
【００２３】
通常、動作撮影モードでは、ユーザは、デジタルカメラ１を動かしたり、ズームレバー３を操作してズーム（ズームイン／アウト）を行ったりしながら、撮影範囲（撮影画角）を調整する。しかしながら、一般的なユーザが理想的な構図に撮像範囲を調整（フレーミング）したり、理想的な構図を維持しながら動画撮影を行ったりすることは困難であった。特にズーム操作を用いて理想的な構図で撮影することは一般的なユーザにとって難しかった。
【００２４】
ここで、オートズーム機能を用いてズーム操作を自動制御することが考えられるが、以下の点で十分ではなかった。
【００２５】
オートズーム機能を用いた場合、図２に示すように、撮像画角内で１以上の顔を検出し、検出した顔のうち表情の変化があった顔（笑顔等）に自動的にズームされる。しかし、オートズームにより顔に極端に近寄ってしまうと、フレーミング領域（撮像範囲の領域）が偏り、手ブレ補正領域が狭まってしまう恐れがあった。また、図２に示すように、複数の人物を撮像している場合でも、ユーザの意図によらず一人の人物に自動的にズームしてしまう場合があった。
【００２６】
そこで、本開示の一実施形態によるデジタルカメラ１は、図１に示すように、表示部１６に表示されたスルー画像４０に、理想的な構図に基づいて設定される最終的な画角を示す画角枠（インジゲータ）４３を重畳表示する。そして、デジタルカメラ１は、ユーザによるズーム開始指示に応じて撮像画角が画角枠４３に一致するようズーム（ズームイン／アウト）制御する。
【００２７】
このように、本実施形態によれば、自動的に被写体を含む理想的な構図にズームされるので、より効果的なズーム撮影を行うことができる。
【００２８】
以下、このようなズームアシストが可能なデジタルカメラ１の構成および動作処理について具体的に説明する。なお、本実施形態では、情報処理装置の一例としてデジタルカメラ１を示すが、本開示の実施形態による情報処理装置はこれに限定されない。例えば、本実施形態によるクライアント端末は、デジタルビデオカメラ、カメラ付きのスマートフォン、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）、携帯電話、携帯用音楽再生装置、携帯用映像処理装置または携帯用ゲーム機器等であってもよい。
【００２９】
＜２．デジタルカメラの構成＞
［２−１．ハードウェア構成］
図３は、本実施形態によるデジタルカメラ１の構成を示すブロック図である。図３に示すように、デジタルカメラ１は、ＣＰＵ１０、ＲＯＭ１１、ＲＡＭ１２、カメラモジュール１３、操作入力部１４、撮像画像記憶部１５、表示部１６、およびネットワークインターフェース（Ｉ／Ｆ）１７を有する。以下、各構成について具体的に説明する。
【００３０】
カメラモジュール１３は、撮像素子、撮像レンズを含む撮像光学系、および撮像画像信号処理部を含み、デジタル信号とされた撮像画像のデータを出力する。なお、撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。なお、カメラモジュール１３から出力される撮像画像は、上述したように、スルー撮像において表示部１６にスルー画像として逐次表示される。
【００３１】
また、カメラモジュール１３は、ズーム機能を有する。より具体的には、カメラモジュール１３は、撮像光学系において焦点距離を変化させる光学ズームと、撮像素子に写った画像の一部を拡大することで被写体の大きさを変えるデジタルズームが可能である。また、カメラモジュール１３は、ユーザによるズームレバー３の操作に応じて光学／デジタルズーム（手動ズーム）を行う他、ＣＰＵ１０の制御に応じて自動的にズームを行うこと（自動ズーム）も可能である。
【００３２】
また、カメラモジュール１３は、手ブレ補正機能を有してもよい。より具体的には、カメラモジュール１３は、画像処理による手ブレ補正、レンズシフト補正、ＣＣＤシフト補正、または液体レンズの変形による手ブレ補正を行ってもよい。また、カメラモジュール１３は、可動に設けられた撮像光学系ユニットを駆動して手ブレを補正する空間手ブレ補正を行ってもよい。若しくは、カメラモジュール１３は、ズーム時に余っている撮像素子（イメージセンサ）の領域を利用することで手ブレを補正するデジタル手ブレ補正を行ってもよい。
【００３３】
操作入力部１４は、ユーザによるカメラ操作を検出する検出部である。カメラ操作は、例えば、図１に示すように、デジタルカメラ１に物理的に設けられたシャッターボタン２、Ｗ／Ｔ（ズーム）レバー３、ＭＯＶＩＥ（動画）ボタン５、ズームアシストスイッチ６、ダイヤルボタン８、および再生ボタン９等により行われる。また、操作入力部１４は、表示部１６に表示される画面に対するユーザのタッチ位置を検知するタッチパネルにより操作を検出してもよい。また、操作入力部１４は、視線認識により操作入力を検出してもよい。
【００３４】
撮像画像記憶部１５は、例えばカード型メモリなどのフラッシュメモリが用いられる。また、撮像画像記憶部１５は、ＤＶＤ（Ｄｉｇｉｔａｌ Ｖｅｒｓａｔｉｌｅ Ｄｉｓｃ）などの記録媒体であってもよい。さらには、撮像画像記憶部１５は、このようなリムーバルなメモリ媒体ではなく、ハードディスク装置であってもよい。
【００３５】
また、撮像画像記憶部１５は、カメラモジュール１３から連続的に出力される被写体の撮像画像を、シャッターボタン２の操作タイミングに応じて、静止画像（写真）として記憶してもよい。また、撮像画像記憶部１５は、カメラモジュール１３から連続的に出力される被写体の撮像画像を、動画ボタン５の操作タイミングに応じて、動画像（ビデオ）として記憶してもよい。
【００３６】
表示部１６は、ＣＰＵ１０の制御に従って、メニュー画面や各種操作画面等の他、カメラモジュール１３から出力された被写体の画像をリアルタイムに表示したり、撮像画像記憶部１５に記憶されている画像（静止画像または動画像）を表示（再生）したりする。また、表示部１６は、例えばＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ−Ｅｍｉｔｔｉｎｇ  Ｄｉｏｄｅ）などにより実現される。
【００３７】
また、本実施形態による表示部１６は、ＣＰＵ１０の制御に従って、ズーム操作をアシストするための表示を行う。なお、より具体的な表示内容については、「４．ズームアシストの具体例」において詳細に説明する。
【００３８】
ＣＰＵ１０は、デジタルカメラ１の各構成を制御する主制御部である。例えば、ＣＰＵ１０は、操作入力部１４により検出されたユーザ操作に応じた処理を、ＲＯＭ１１のプログラムにしたがって実行する。
【００３９】
また、本実施形態によるＣＰＵ１０は、カメラモジュール１３によるズームをアシストするズームアシスト制御機能を有する。このような本実施形態によるＣＰＵ１０の具体的な機能については、「２−２．ＣＰＵ（主制御部）の機能構成」において詳細に説明する。
【００４０】
ＲＯＭ１１には、ＣＰＵ１０が撮像制御機能や被写体認識機能等を遂行するためのプログラム等が記憶されている。また、ＲＯＭ１１に記憶されているプログラムは、ＣＰＵ１０により、ＲＡＭ１２をワークエリアとして用いながら実行される。
【００４１】
［２−２．ＣＰＵ（主制御部）の機能構成］
上述したように、本実施形態によるＣＰＵ１０は、カメラモジュール１３によるズームをアシストするズームアシスト制御機能を有する。以下、このようなＣＰＵ１０の具体的な機能について図４を参照して説明する。
【００４２】
図４は、本実施形態によるＣＰＵ１０の機能構成を示す図である。図４に示すように、本実施形態によるＣＰＵ１０（主制御部）は、認識部１００、設定部１１０、撮像制御部１２０、表示制御部１３０、および記憶制御部１４０を有する。
【００４３】
認識部１００は、カメラモジュール１３から出力された撮像画像から１以上の被写体を認識する。例えば、認識部１００は、撮像画像から特徴量を抽出し、抽出した特徴量と、予め記憶する顔パーツ情報（顔パーツのパターン情報）とに基づいて、主要被写体の顔認識を行う。また、認識部１００による認識は顔認識に限らず、動物認識用アルゴリズムやシーン認識用アルゴリズム等の各種認識用アルゴリズム（パターン情報を含む）に基づいて、各種認識が可能である。
【００４４】
また、認識部１００は、認識結果を設定部１１０に出力する。例えば、認識部１００は、顔を認識した旨および認識した顔の撮像画像における位置情報（ｘｙ座標等）を認識結果として出力する。
【００４５】
設定部１１０は、認識部１００から出力された認識結果に応じて、ズーム後の最終的な画角を設定する。例えば、設定部１１０は、認識部１００により認識された主要被写体を含む理想的な構図を調整し、ズーム後の最終的な画角として設定する。
【００４６】
ここで、理想的な構図とは、主要被写体の撮影画角内における配置が良好なものを示す。また、一般的に、写真の基本構図として、３分割法、黄金分割法、Ｓ字型構図、シンメトリー、水平線構図、放射構図等が知られている。本実施形態による設定部１１０は、被写体や、被写体と背景に応じて、これらの基本構図を参照し、理想的な構図を設定することができる。
【００４７】
また、設定部１１０は、設定した画角に関する情報を撮像制御部１２０および表示制御部１３０に出力する。
【００４８】
表示制御部１３０は、設定部１１０により設定された画角を示す表示を、表示部１６に表示する撮像画像（スルー画像）に重畳表示するよう表示部１６を制御する。これにより、表示制御部１３０は、ズーム後の最終的な画角をユーザに通知することができる。また、表示制御部１３０は、撮像画像記憶部１５に記憶されているズーム中の動画像を表示部１６で表示（再生）するよう制御することもできる。
【００４９】
撮像制御部１２０は、カメラモジュール１３による撮像動作を制御する。より具体的には、撮像制御部１２０は、ユーザによるズーム開始指示（例えば、ズームアシストスイッチ６の押下）に応じて、設定部１１０により設定された画角に撮影画角が一致するようズームイン／アウト制御を行う。なお、ズーム中に被写体が移動したり、デジタルカメラ１自体が移動した場合、設定された画角内の画像が変化するが、この場合、撮像制御部１２０は、設定された画角に対応する画角に撮影画角が一致するようズームイン／アウト制御を行ってもよい。
【００５０】
また、撮像制御部１２０は、設定された画角内の被写体（例えば、認識された人物の顔）をトラッキングしながらズームするよう制御してもよい。例えば、撮像制御部１２０は、認識した人物の顔を追うよう制御し、デジタルカメラ１本体が動いてしまった場合は手ブレ補正を行うよう制御する。
【００５１】
記憶制御部１４０は、撮像制御部１２０によりズーム制御を行っている間の撮影画角内の画像（一部の画像）を、動画像（記憶画像）として撮像画像記憶部１５に記憶するよう制御する。上述したように、本実施形態では、主要な被写体を含む理想的な構図として設定された画角にズームできるので、ズーム中の動画像は、より効果的なカメラワークが演出された動画像となる。
【００５２】
以上、本開示の一実施形態によるデジタルカメラ１の構成について詳細に説明した。続いて、本開示の一実施形態によるデジタルカメラ１の動作処理について図５を参照して説明する。
【００５３】
＜３．動作処理＞
図５は、本実施形態による動作処理を示すフローチャートである。図５に示すように、まず、ステップＳ１０３において、設定部１１０は、認識部１００により認識された被写体に応じて、理想的な構図を調整する。
【００５４】
次いで、ステップＳ１０６において、設定部１１０は、調整した理想的な構図をズーム後の最終的な画角として設定する。この際、表示制御部１３０は、設定された最終的な画角を表示部１６に逐次表示されているスルー画像に重畳表示するよう制御してもよい。例えば、表示制御部１３０は、図６の表示画像５０Ａに示すように、表示部１６に表示されるスルー画像４０に、最終的な画角を示す画角枠４３を重畳表示してもよい。図６に示す絵のように、画角枠４３は、被写体の顔と上半身を含む理想的な構図に調整されている。
【００５５】
次に、ステップＳ１０９において、撮像制御部１２０は、ユーザによるズーム開始指示に応じてズーム撮影を開始する。例えば、撮像制御部１２０は、ズームアシストスイッチ６が押下された場合、表示された最終的な画角をユーザがタッチした場合、または表示された最終的な画角へのユーザの視線を認識した場合等に、ズームを開始する。また、撮像制御部１２０は、設定された画角と撮影画角（ビデオとして記録される画像の範囲）が一致するようズーム制御する。
【００５６】
ここで、デジタルカメラ１の撮像方向と設定された画角（図６の表示画像５０Ａに示す画角枠４３参照）がずれている場合、撮像制御部１２０は、上述した手ブレ補正機能を活用して設定された画角にズームするよう制御してもよい。例えば、上述した空間手ブレ補正用に撮像光学系ユニットが可動に設けられている場合、撮像制御部１２０は、撮像光学系ユニットを駆動して、カメラのアングルを物理的に調整することで、撮像方向とずれている画角枠４３にズームすることができる。若しくは、撮像制御部１２０は、画角枠４３内の画像を拡大するデジタルズームを行うよう制御してもよい。
【００５７】
なお、表示部１６に表示されるスルー画像の全領域が記憶画像として撮像画像記憶部１５に記憶される場合、スルー画像の画角と撮影画角は略同一と言える。この場合、図６の表示画像５０Ｂに示すように、表示部１６に表示されるスルー画像４０は、ズームイン制御に応じて徐々に画角枠４３内の被写体に近付く。また、表示制御部１３０は、このようなスルー画像４０の変化に応じて、スルー画像４０に重畳表示される画角枠４３の大きさおよび表示位置も変化させるよう制御する。
【００５８】
次いで、ステップＳ１１２において、撮像制御部１２０は、撮影画角が設定された画角に対応する画角と一致したか否かを判断し、一致するまでズーム制御を行う（ステップＳ１１２／Ｎｏ）。そして、撮影画角が設定された画角に対応する画角と一致した場合、撮像制御部１２０はズーム制御を終了する（ステップＳ１１２／Ｙｅｓ）。例えば、撮像制御部１２０は、図６の表示画像５０Ｃに示すように、画角枠４３とスルー画像４０の画角（＝撮影画角）が一致した場合、ズーム制御を終了する。
【００５９】
以上、本実施形態による撮影システムの基本的な動作処理について詳細に説明した。上述したように、本実施形態による撮影システムでは、設定された画角に撮影画角が一致するようズーム制御（ズームアシスト）することで、より効果的なカメラワークを演出したり、ズーム後の撮影画角を理想的な画角とすることができる。続いて、本実施形態によるズームアシストの具体例について詳細に説明する。
【００６０】
＜４．ズームアシストの具体例＞
［４−１．イージング動作］
本実施形態による撮像制御部１２０は、ズーム速度の変化を制御してズームアシストを行ってもよい。通常、ズームは一定速度で行われるが、本実施形態による撮像制御部１２０は、ズーム速度を徐々に減速または加速させるイージング動作を行ってもよい。
【００６１】
図７は、本実施形態によるズーム速度の制御を説明するための図である。図７では、各ズーム速度で制御された場合の一定時間毎のズーム位置を示している。
【００６２】
撮像制御部１２０は、図７のズーム速度１に示すように、一定速度でズーム終了点（撮影画角が設定された最終的な画角に一致する時点）までズームするよう制御してもよい。また、撮像制御部１２０は、図７のズーム速度２に示すように、ズーム終了点と現在のズーム位置との差を加味して、徐々に減速するようズーム速度を制御してもよい。また、撮像制御部１２０は、図７のズーム速度３に示すように、ズーム終了点と現在のズーム位置との差を加味して、徐々に加速するようズーム速度を制御してもよい。
【００６３】
このように、ズーム速度を制御することで、より効果的なカメラワークを演出することができる。
【００６４】
［４−２．撮影画角外の画像の表示］
上述したように、図６に示した例では、表示部１６に表示されるスルー画像の画角は、撮影画角と略同一であるが、本実施形態による表示部１６に表示されるスルー画像の画角はこれに限定されず、例えば撮影画角を含む画角であってもよい。すなわち、表示部１６には、撮影画角外（撮像範囲外）の画像が表示されてもよい。以下、表示部１６に撮影画角外の画像も表示される場合におけるズーム中の制御、およびズーム後の制御について説明する。
【００６５】
（ズーム中の制御）
図８は、表示部１６に表示される表示画像５０と、撮像画像記憶部１５に記憶される記憶画像５２を説明するための図である。図８の表示画像５０Ｄに示すように、まず、スルー画像４０に、設定された最終的な画角を示す画角枠４３が重畳表示される。この時、スルー画像の画角と撮影画角は同様であるので、撮像画像記憶部１５には、記憶画像５２Ｄに示すように、スルー画像と同様の範囲の画像が記憶される。
【００６６】
次に、ユーザによる開始指示に応じてズームイン制御が開始されると、表示画像５０Ｅに示すように、撮影画角を示す画角枠４４がスルー画像４０に重畳表示され、ズームイン制御に応じて徐々に小さくなる。このように、本実施形態による表示制御部１３０は、撮影画角を示す画角枠４４内の画像と、画角枠４４外の画像（フレームアウトしている領域）を表示するよう制御する。また、表示制御部１３０は、画角枠４４の外側の領域（フレームアウトしている領域）の輝度を下げる等して、撮影画角から外れていることをユーザに明示的に示してもよい。
【００６７】
この時、撮像画像記憶部１５には、記憶画像５２Ｅに示すように、スルー画像４０のうち画角枠４４で示される範囲の画像と同様の画像が記憶される。
【００６８】
なお、記憶制御部１４０は、ズームイン制御が開始された時点から撮像画像記憶部１５に動画像を記憶するよう制御してもよいし、ズームイン制御を行っている間の一部の時間における動画像を記憶するよう制御してもよい。
【００６９】
次いで、撮像制御部１２０は、上述したように撮影画角と設定された最終的な画角が一致するようズーム制御するので、表示制御部１３０は、撮像制御部１２０によるズーム制御に応じて、撮影画角を示す画角枠４４の大きさを表示制御する。具体的には、ズーム終了時点において、図８の表示画像５０Ｆに示すように、撮影画角を示す画角枠４４は、最終的な画角を示す画角枠４３に重なる。
【００７０】
この時、撮像画像記憶部１５には、記憶画像５２Ｆに示すように、スルー画像４０のうち画角枠４４で示される範囲の画像と同様の画像が記憶される。
【００７１】
以上説明したように、本実施形態による表示制御部１３０は、表示部１６に撮影画角内外のスルー画像を表示するよう制御することでズームアシストすることができる。これにより、例えば図８の表示画像５０Ｆのような場合、ユーザは実際の撮像方向と被写体の位置がずれていることが分かる。
【００７２】
（ズーム後の制御）
撮像制御部１２０は、理想的な構図にズーム制御した後、デジタルカメラ１や被写体が動いても、かかる理想的な構図を維持するよう制御することでズームアシストすることができる。より具体的には、撮像制御部１２０は、撮影画角内の被写体をトラッキングしながら、理想的な構図である撮影画角を維持するよう制御する。
【００７３】
これにより、例えば図９左に示すように、表示部１６に表示される画角枠４４がスルー画像４０の中央からずれている場合、ユーザはデジタルカメラ１を動かし、図９右に示すように理想的な構図を維持したままフレーム調整を行うことができる。
【００７４】
また、表示部１６には、実際には撮影画角からフレームアウトしている領域が表示されているので、ユーザは、被写体の動きに応じてある程度適当にデジタルカメラ１を動かしても理想的な構図のまま被写体を追随するカメラワークを実現することができる。
【００７５】
例えば、図１０上に示すように、撮影画角を示す画角枠４４内の被写体が右方向に移動した場合、画角枠４４は、理想的な構図を維持するよう被写体をトラッキングして右方向に移動する。ここで、ユーザがデジタルカメラ１を動かし、図１０右下に示すように、移動した画角枠４４が、スルー画像４０から外れないよう（フレームアウトしないよう）フレーム調整することで、理想的な構図のまま被写体を追随して撮影することができる。
【００７６】
なお、撮像制御部１２０は、上述した撮像画角内の被写体のトラッキングによる理想的な構図の維持制御を、ズームアシストスイッチ６が押下され続けている間行うよう制御してもよい。
【００７７】
［４−３．ズームアウト］
上述したズームアシストの具体例においては、ズームインの場合を例に挙げて説明したが、本実施形態によるズームアシストはズームインの場合に限定されず、例えばズームアウトの場合にも適用される。
【００７８】
（撮影画角内外の画像の表示）
ズームアウト時のズームアシストとして、例えば図１１の表示画像５０Ｈに示すように、表示部１６には、スルー画像４０および撮影画角を示す画角枠４４が表示されるので、ユーザは、撮影画角内外の画像を確認することができる。この時、撮像画像記憶部１５には、記憶画像５２Ｈに示すように、スルー画像４０のうち画角枠４４で示される範囲の画像と同様の画像が記憶される。
【００７９】
また、ズームアウト後の最終的な撮影画角は、表示部１６に表示されているスルー画像４０の画角となるので、ユーザはデジタルカメラ１を動かしながらフレーム調整を行い、ズームアウト後の最終的な撮影画角を調整することができる。
【００８０】
さらに、本実施形態による表示制御部１３０は、ズームアウト後の撮影画角が理想的な構図になるよう、例えば図１１の表示画像５０Ｈに示すように、３分割法による理想的な構図を構成する複数の線を表示してズームアシストしてもよい。これにより、ユーザは、構図上の重要な要素（例えば被写体の顔）を線同士の交点上に配置するようフレーム調整をした上で、ズームアウト開始を指示してもよい。
【００８１】
これにより、被写体の顔をアップで撮影している状態から、図１１の表示画像５０Ｉに示すように、理想的な構図（例えば３分割法による構図）による画角にズームアウトすることができる。この時、スルー画像の画角と撮影画角は同様であるので、撮像画像記憶部１５には、記憶画像５２Ｉに示すように、スルー画像と同様の範囲の画像（理想的な構図の画像）が記憶される。
【００８２】
なお、記憶制御部１４０は、ズームアウト制御の開始指示が行われた時点から撮像画像記憶部１５に動画像を記憶するよう制御してもよいし、ズームアウト制御を行っている間の一部の時間における動画像を記憶するよう制御してもよい。
【００８３】
ここで、ズームアウト制御の開始指示として、操作入力部１４は、ズームアシストスイッチ６を押下し続けてズームインした後、ズームアシストスイッチ６を離した場合を、ズームアウト制御の開始指示として検出してもよい。
【００８４】
または、ズームアウト制御の開始指示として、操作入力部１４は、ズームアシストによるズームアウト開始指示があった場合（例えば、ズームアシストスイッチ６の押下）を、ズームアウト制御の開始指示として検出してもよい。
【００８５】
（最終的な撮影画角を示す画角枠の表示）
ここで、ユーザによっては、３分割法による構図が複数の線により表示されても、どのようにフレーム調整すればよいか分からない場合もある。そこで、本実施形態による表示制御部１３０は、設定部１１０により設定されたズーム後の最終的な撮影画角を示す画角枠４７を、図１２左に示すように表示部１６の表示画面からはみ出すように表示してズームアシストしてもよい。画角枠４７内には、理想的な構図の一例として、３分割法による複数の線が表示され、予め線同士の交点上に被写体の顔が配置されている。
【００８６】
これにより、ユーザは、図１２右に示すように、デジタルカメラ１を動かして画角枠４７が表示画面内に収まるようフレーム調整するだけで、結果的にズームアウト後の撮影画角を理想的な構図にフレーム調整することができる。
【００８７】
＜５．まとめ＞
上述したように、本実施形態による撮影システムでは、被写体に応じて理想的な構図として設定された画角にズームすることで、より効果的なズーム撮影やカメラワークの演出を行うことができる。また、本実施形態では、設定された画角を示す表示により、ズーム後の最終的な画角をユーザに通知することができる。
【００８８】
また、本実施形態では、撮影画角内外の画像を表示することで、ユーザは、実際には撮影画角（ビデオとして記憶される画像の範囲）からフレームアウトしている画像を確認することができる。これにより、撮像方向と被写体方向とのずれを調整したり、ズームアウト後の最終的な撮影画角を調整したりすることができる。
【００８９】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９０】
例えば、認識部１００により複数の被写体が認識された場合、表示制御部１３０は、各被写体に応じて設定部１１０により設定された複数の画角枠を表示してもよい。この場合、例えば撮像制御部１２０は、ユーザにより選択された画角枠にズームするようカメラモジュール１３を制御する。
【００９１】
なお、本技術は以下のような構成も取ることができる。
（１）
ズーム後の最終的な画角を設定する設定部と、
開始指示に応じて撮像部によるズームを開始し、前記設定部により設定された最終的な画角に対応する画角になった場合にズームを終了させるよう制御する撮像制御部と、
前記撮像部によりズームしている間の少なくとも一部の撮像画像を所定の記憶部に記憶する記憶制御部と、
を備える情報処理装置。
（２）
前記撮像制御部は、ズーム速度を変化させるよう制御する、前記（１）に記載の情報処理装置。
（３）
前記設定部は、主要被写体が所定の位置に配置される構図となるよう前記最終的な画角を設定する、前記（１）または（２）に記載の情報処理装置。
（４）
前記情報処理装置は、
表示部に表示された撮像画像に対するタッチ操作を検出する検出部をさらに備え、
前記設定部は、前記検出部により検出された前記タッチ操作の位置に応じて主要被写体を特定し、特定した主要被写体に応じて前記構図を調整する、前記（３）に記載の情報処理装置。
（５）
前記情報処理装置は、
前記設定部により設定された最終的な画角を示す表示を前記撮像画像に重畳表示するよう制御する表示制御部をさらに備える、前記（１）から（４）のいずれか１項に記載の情報処理装置。
（６）
前記情報処理装置は、
前記所定の記憶部に記憶される撮像範囲内外の画像を表示部に表示し、前記撮像範囲を示す表示を前記画像に重畳表示し、前記撮像部によるズームに応じて前記撮像範囲を示す表示を制御する表示制御部をさらに備える、前記（１）から（４）のいずれか１項に記載の情報処理装置。
（７）
前記撮像制御部は、前記最終的な画角内の被写体をトラッキングするよう制御し、
前記表示制御部は、前記トラッキングに応じて前記最終的な画角を示す表示の位置を変化させる、前記（６）に記載の情報処理装置。
（８）
前記撮像制御部は、ユーザにより指示されている間、前記トラッキングを行う、前記（７）に記載の情報処理装置。
（９）
前記表示制御部は、前記所定の記憶部に記憶された前記ズームしている間の撮像画像を再生するよう表示制御する、前記（１）から（８）のいずれか１項に記載の情報処理装置。
（１０）
ズーム後の最終的な画角を設定する処理と、
開始指示に応じて撮像部によるズームを開始し、前記設定する処理により設定された最終的な画角に対応する画角になった場合にズームを終了させるよう制御する処理と、
前記撮像部によりズームしている間の少なくとも一部の撮像画像を所定の記憶部に記憶する処理と、
をコンピュータに実行させる、プログラム。
【符号の説明】
【００９２】
１    デジタルカメラ（情報処理装置）
２    シャッターボタン
３    Ｗ／Ｔ（ズーム）レバー
５    ＭＯＶＩＥ（動画）ボタン
６    ズームアシストスイッチ
８    ダイヤルボタン
９    再生ボタン
１０    ＣＰＵ
１１    ＲＯＭ
１２    ＲＡＭ
１３    カメラモジュール
１４    操作入力部（検出部）
１５    撮像画像記憶部
１６    表示部
４０    スルー画像
４３    ズーム後の最終的な画角を示す画角枠
４４    撮影画角を示す画角枠
１００    認識部
１１０    設定部
１２０    撮像制御部
１３０    表示制御部
１４０    記憶制御部
【図１】
2013238814.tif 000003
【図２】
2013238814.tif 000004
【図３】
2013238814.tif 000005
【図４】
2013238814.tif 000006
【図５】
2013238814.tif 000007
【図６】
2013238814.tif 000008
【図７】
2013238814.tif 000009
【図８】
2013238814.tif 000010
【図９】
2013238814.tif 000011
【図１０】
2013238814.tif 000012
【図１１】
2013238814.tif 000013
【図１２】
2013238814.tif 000014